(57)【要約】　　　（修正有）【課題】複数の物品を見やすく支持する物品支持具を提供する。【解決手段】物品が直接又は間接に網目に係止される網体部分２１と、該網体部分を支持物に対して固定する固定手段４３、４５と、を備えてなる、物品支持具である。前記網体部分が、平面に沿った部分を有するものであってもよい。前記網体部分が、前記平面に沿って互いに略平行に配置される複数本の第１線材２３と、該第１線材がのびる方向に対して略直交する方向に向かって互いに略平行に前記平面に沿って配置される複数本の第２線材２５と、を有してなり、該第１線材と該第２線材とによって前記網目が形成されるものであってもよい。【選択図】　　図１
0003097919.tif 000002
【実用新案登録請求の範囲】
【請求項１】
物品が直接又は間接に網目に係止される網体部分と、
該網体部分を支持物に対して固定する固定手段と、
を備えてなる、物品支持具。
【請求項２】
前記網体部分が、平面に沿った部分を有するものである、請求項１に記載の物品支持具。
【請求項３】
前記網体部分が、前記平面に沿って互いに略平行に配置される複数本の第１線材と、該第１線材がのびる方向に対して略直交する方向に向かって互いに略平行に前記平面に沿って配置される複数本の第２線材と、を有してなり、該第１線材と該第２線材とによって前記網目が形成されるものである、請求項２に記載の物品支持具。
【請求項４】
前記網体部分の縁部が直線に略沿った部分を有し、前記固定手段が該直線に略沿った部分に形成されるものである、請求項１乃至３のいずれかに記載の物品支持具。
【請求項５】
前記固定手段が、前記網体部分に対して、前記直線に略平行な回動軸を中心として回動自在なものである、請求項４に記載の物品支持具。
【請求項６】
前記支持物が磁石に吸引されるものであり、
前記固定手段が、磁石を有してなるものである、請求項１乃至５のいずれかに記載の物品支持具。
【請求項７】
前記固定手段が、前記支持物を挟持するものである、請求項１乃至５のいずれかに記載の物品支持具。
【請求項８】
前記固定手段が、進退自在なネジの先端が前記支持物を直接又は間接に押すことで前記支持物を挟持するものである、請求項７に記載の物品支持具。
【請求項９】
前記支持物が棒材であり、
前記固定手段が、前記ネジの先端が該棒材に向かって移動する方向に該棒材が存するように該棒材の一部が嵌入される嵌入部を有しており、該嵌入部と前記ネジの先端とによって該棒材を直接又は間接に挟持するものである、請求項８に記載の物品支持具。
【請求項１０】
前記物品が商品であり、
前記物品支持具が該商品を販売する商店にて用いられるものである、請求項１乃至９のいずれかに記載の物品支持具。
【考案の詳細な説明】
【０００１】
【考案の属する技術分野】
本考案は、物品支持具に関し、より詳細には、複数の物品を見やすく支持することができる物品支持具に関する。
【０００２】
【従来の技術】
物品を展示したり整理したり等するため、物品を支持する物品支持具が多く用いられてきた。例えば、「固定物たる鋼製の壁１２１に着脱自在に取り付けられる基台部たる取付部２１と、一端が該基台部たる取付部２１に取り付けられた棒状部たる連結部４１と、該棒状部たる連結部４１の他端に設けられ該被支持物たる竿１０３に係合する係合部たる環状部分６１と、を、備えてなる」支持具が知られている（例えば、特許文献１参照。）。
【０００３】
【特許文献１】
登録実用新案第３０８５３９１号公報（段落番号００２０、第１図）
【０００４】
【考案が解決しようとする課題】
しかしながら、特許文献１に示された支持具やそれ以外の従来から知られていた支持具は、複数の物品を見やすく支持するものではなかった。
そこで本考案では、複数の物品を見やすく支持する物品支持具を提供することを目的とする。
【０００５】
【課題を解決するための手段】
本考案の物品支持具（以下、「本支持具」という。）は、物品が直接又は間接に網目に係止される網体部分と、該網体部分を支持物に対して固定する固定手段と、を備えてなる、物品支持具である。
こうすることで支持物（物品を支持した本支持具を支持することができるものであればいかなるものであってもよく何ら限定されるものではない。一例を挙げれば、壁、棒、台、テーブル、机等を例示することができる。）に対して、固定手段が網体部分を固定する。そして、網体部分は、物品が直接又は間接に係止される複数の網目を有しているので、この複数の網目に物品を係止させることができる。このように本支持具は、複数の物品を網体部分が有する網目に係止させることで、複数の物品を見やすく支持することができる。
なお、「物品が直接又は間接に網目に係止される」とは、網目に物品が他の物を介さずに係止される場合（直接）と、網目に物品が他の物（例えば、フックやひも等）を介して係止される場合（間接）と、の両場合を含む。
【０００６】
前記網体部分が、平面に沿った部分を有するもの（以下、「平面網体支持具」という。）であってもよい。
こうすることで物品が係止される網目が、平面に沿った部分に形成されるので（該網目は、平面に沿った部分以外の部分にも形成されてよい。）、該平面に沿った部分に形成された網目に係止された複数の物品が平面に沿って配置されるので、それぞれの物品を見やすく支持することができる。
【０００７】
平面網体支持具の場合、前記網体部分が、前記平面に沿って互いに略平行に配置される複数本の第１線材と、該第１線材がのびる方向に対して略直交する方向に向かって互いに略平行に前記平面に沿って配置される複数本の第２線材と、を有してなり、該第１線材と該第２線材とによって前記網目が形成されるものであってもよい。
こうすることで互いに略直交する方向に配置された複数本の第１線材と複数本の第２線材とによって物品が係止される網目が形成されるので、網目が略長方形になると共に規則正しく形成され、複数の物品を網目に容易かつ迅速に係止させることができ、さらに、複数の物品を見やすく支持することができる。
【０００８】
前記網体部分の縁部が直線に略沿った部分を有し、前記固定手段が該直線に略沿った部分に形成されるもの（以下、「直線縁部支持具」という。）であってもよい。
こうすることで直線に沿った部分を有することが多い支持物（例えば、壁の面、棒の側面、台の上面、テーブルの上面、机の上面等いずれのものも直線に沿っている場合が多い。）に本支持具を取り付ける際、網体部分の縁部が有する直線に略沿った部分を、支持物の直線に沿った部分に沿うようにうまく取り付けることができる。
【０００９】
直線縁部支持具の場合、前記固定手段が、前記網体部分に対して、前記直線に略平行な回動軸を中心として回動自在なものであってもよい。
こうすることで支持物の直線に沿った部分に網体部分の縁部が有する直線に略沿った部分が取り付けられた際、固定手段が網体部分に対して前記直線に略平行な回動軸を中心として回動することで、支持物に対して網体部分が、複数の物品が見やすくなる方向に広い範囲で回動することができる。
【００１０】
前記支持物が磁石に吸引されるものであり、前記固定手段が、磁石を有してなるものであってもよい。
こうすることで支持物（例えば、鋼材等によって形成されることで磁石に吸引されるもの）に格別の手段を講じることなくかつ支持物を損傷させることなく、支持物に本支持具を着脱自在に容易に取り付けることができる。
【００１１】
前記固定手段が、前記支持物を挟持するもの（以下、「挟持支持具」という。）であってもよい。
こうすることで支持物に格別の手段を講じることなく、支持物に本支持具を確実に取り付けることができる。
【００１２】
挟持支持具の場合、前記固定手段が、進退自在なネジの先端が前記支持物を直接又は間接に押すことで前記支持物を挟持するもの（以下、「ネジ支持具」という。）であってもよい。
こうすることで進退自在なネジという簡単な構成によって、ネジの先端が支持物を直接又は間接に押すことで支持物を挟持するので、挟持支持具の構成を簡単にすると共に挟持支持具を安価に形成することができる。
なお、「ネジの先端が前記支持物を直接又は間接に押す」とは、ネジの先端が他の物を介することなく支持物を押す場合（即ち、ネジの先端が支持物に接触する場合。「直接」の場合）と、ネジの先端が他の物を介して支持物を押す場合（即ち、ネジの先端が支持物に接触しない場合。「間接」の場合）と、の両場合を含む。
【００１３】
ネジ支持具の場合、前記支持物が棒材であり、前記固定手段が、前記ネジの先端が該棒材に向かって移動する方向に該棒材が存するように該棒材の一部が嵌入される嵌入部を有しており、該嵌入部と前記ネジの先端とによって該棒材を直接又は間接に挟持するものであってもよい。
こうすることで支持物たる棒材の一部が嵌入される嵌入部と、ネジの先端と、によって棒材が直接又は間接に挟持されるので、嵌入部により固定手段が棒材から不意に脱落することを防止し、ネジ支持具が支持物たる棒材に確実に固定される。
なお、「該嵌入部と前記ネジの先端とによって該棒材を直接又は間接に挟持する」とは、ネジの先端が他の物を介することなく棒材を押す場合（即ち、ネジの先端が棒材に接触する場合。「直接」の場合）と、ネジの先端が他の物を介して棒材を押す場合（即ち、ネジの先端が棒材に接触しない場合。「間接」の場合）と、の両場合を含む。
【００１４】
前記物品が商品であり、前記物品支持具が該商品を販売する商店にて用いられるものであってもよい。
以上説明したように本支持具は複数の物品を見やすく支持することができるので、商品を支持するために用いることができる（本支持具が支持する物品が商品である場合）。即ち、商品を販売する商店において、商品を支持するために本支持具を用いれば、顧客に複数の商品を見やすく展示することができる。
【００１５】
【考案の実施の形態】
本考案の実施の形態を図面を参照して詳述するが、本考案はこれに限定されるものではない。
【００１６】
（第１実施形態）
図１は、第１実施形態の本考案の物品支持具（本支持具）１１を示す正面図であり、図２は本支持具１１の右側面図（図１中、矢印Ａ方向から見たところを示している。）であり、図３は後述の固定部４１ａ（なお、固定部４１ｂも同様の形状及び構造を有している。）を拡大して示す一部拡大正面図（なお、図３においては、図示及び理解を容易にするため、挟持部４７ａ、４７ｂと回動部材４９との間を広くとって図示している。）である。図１乃至図３を参照して、本支持具１１について説明する。
本支持具１１は、商品を支持し該商品を販売する商店にて用いられるものであり、大まかには、網体部２１（網体部分）と、固定部４１ａ、４１ｂ（固定手段）と、を備えてなる。
【００１７】
網体部２１は、本考案にいう網体部分を構成するものであり、全体がほぼ平面に沿った形状を有している。具体的には、網体部２１は、該平面に沿って互いに略平行に配置される複数本の第１線材２３と、第１線材２３がのびる方向（図１及び図２中、矢印Ｂにて該方向を示す。）に対して略直交する方向（図１中、矢印Ｃにて該方向を示す。）に向かって互いに略平行に該平面に沿って配置される複数本の第２線材２５と、を有してなり、第１線材２３と第２線材２５とによって網目２７が形成されている。なお、第１線材２３と第２線材２５とはいずれも鋼製の棒材によって形成されており、両者２３、２５が互いに交差する位置にて両者２３、２５は適宜溶接によって固定されている。
このようにして網体部２１は、第１線材２３と第２線材２５とにより全体がほぼ平面に沿った長方形形状を形成している。
【００１８】
固定部４１ａ、４１ｂは、本考案にいう固定手段を構成するものであり、固定部４１ａと固定部４１ｂとは同じ構造及び形状のものが用いられている。以下、主として図３を用いて固定部４１ａについて説明する。
固定部４１ａは、略直方体形状の強力な磁石４３が下面に埋設された略直方体形状の固定部本体部４５と、固定部本体部４５の上面から対峙するように上方に向けて突出するように一対形成された挟持部４７ａ、４７ｂ（固定部本体部４５と一体的に形成されている。）と、挟持部４７ａ、４７ｂの間に挟持された回動部材４９と、回動部材４９を貫通し挟持部４７ａ、４７ｂに跨るように嵌入されたボルトナット５１と、回動部材４９と網体部２１とを連結する連結棒５３と、を有してなる（固定部４１ｂも同様）。
なお、回動部材４９は、ボルトナット５１を中心（軸）として挟持部４７ａ、４７ｂに対して所定範囲内にて自由に回動（図２中、回動方向を矢印Ｄにて示す。）することができるようになっている。
また、ここでは網体部２１の縁部が直線（図１中、点線Ｆにて示す。）に略沿った部分２５ａ（ここでは第２線材２５の一部）を有し、固定部４１ａ、４１ｂが該直線（図１中、点線Ｆにて示す。）に略沿った部分２５ａに形成されている。そして、回動部材４９を、ボルトナット５１を中心（軸）として挟持部４７ａ、４７ｂに対して回動させることにより、固定部４１ａ、４１ｂが、網体部２１に対して、該直線（図１中、点線Ｆにて示す。）に略平行な回動軸（図１中、点線Ｇにて示す。）を中心として回動自在である（固定部４１ａの回動軸と、固定部４１ｂの回動軸と、は同一直線（図１中、点線Ｇにて示す。）上に存する。）。
【００１９】
図４は、本支持具１１の使用方法を示す正面図である。図４を参照して、本支持具１１の使用方法について説明する。なお、図４中、鉛直方向を矢印Ｅにて示す。
第１の手順として、鋼材によって形成されている壁１０１（磁石に吸引される支持物）に固定部４１ａ、４１ｂが有する磁石４３を吸着させ、壁１０１に本支持具１１を取り付ける。ここでは第２線材２５がのびる方向が略鉛直方向に向くように、壁１０１に本支持具１１が取り付けられている。
第２の手順として、必要があれば、回動部材４９をボルトナット５１を中心（軸）として回動させ（固定部４１ａ、４１ｂの両方とも回動させる。）、網体部２１の方向を調節する。
第３の手順として、網体部２１が有する第１線材２３と第２線材２５とによって形成される網目２７に、物品たる商品を係止する。図４中では、網目２７にフック１０３を介して携帯電話用のストラップ１０５（商品）を係止させているが、前述のように網目２７にフック１０３等のようなものを介さず直接商品を係止させてよいことはいうまでもない。また、ここでは図示を容易にするため、１個の商品のみを網目に係止させたところを図示しているが、同様にして複数の商品を係止させる。
なお、上述した第１の手順、第２の手順及び第３の手順は、それらの順番を適宜変更して行ってもよい。
そして、壁１０１から本支持具１１を取り外す際は、網目２７に係止されている商品を取り外した後、壁１０１から磁石４３を引き離すことで壁１０１から本支持具１１を取り外せばよい。
【００２０】
このように本支持具１１は、物品が直接又は間接に網目２７に係止される網体部分たる網体部２１と、網体部分たる網体部２１を支持物たる壁１０１に対して固定する固定手段たる固定部４１ａ、４１ｂと、を備えてなる、物品支持具である。
そして、網体部分たる網体部２１が、平面に沿った部分を有する（網体部２１は、全体がほぼ平面に沿った長方形形状を形成している。）。
加えて、網体部分たる網体部２１が、該平面に沿って互いに略平行に配置される複数本の第１線材２３と、第１線材２３がのびる方向（図１及び図２中、矢印Ｂにて該方向を示す。）に対して略直交する方向（図１中、矢印Ｃにて該方向を示す。）に向かって互いに略平行に該平面に沿って配置される複数本の第２線材２５と、を有してなり、第１線材２３と第２線材２５とによって網目２７が形成されている。
【００２１】
また、本支持具１１は、網体部分たる網体部２１の縁部が直線（図１中、点線Ｆにて示す。）に略沿った部分２５ａ（ここでは第２線材２５の一部）を有し、固定手段たる固定部４１ａ、４１ｂが該直線（図１中、点線Ｆにて示す。）に略沿った部分２５ａに形成されている。そして、固定手段たる固定部４１ａ、４１ｂが、網体部分たる網体部２１に対して、該直線（図１中、点線Ｆにて示す。）に略平行な回動軸（図１中、点線Ｇにて示す。）を中心として回動自在である。さらに、支持物たる壁１０１が磁石に吸引されるものであり、固定手段たる固定部４１ａ、４１ｂが、磁石４３を有してなる。
また、前述したように、本支持具１１においては物品が商品（例えば、図４中の携帯電話用のストラップ１０５）であり、本支持具１１は該商品を販売する商店にて用いられる。
【００２２】
（第２実施形態）
図５は、第２実施形態の本考案の物品支持具（本支持具）７１を示す正面図であり、図６は後述の固定部８１ａ（なお、固定部８１ｂも同様の形状及び構造を有している。）を拡大して示す一部拡大底面図（図５中、矢印Ｈ方向から見たところを示している。）である。図５及び図６を参照して、本支持具７１について説明する。
本支持具７１は、第１実施形態の本支持具１１と同様、商品を支持し該商品を販売する商店にて用いられるものであり、大まかには、網体部２１（網体部分）と、固定部８１ａ、８１ｂ（固定手段）と、を備えてなる。
ここに網体部２１（網体部分）は、第１実施形態の本支持具１１の網体部２１と同一のものを用いているので、ここでは説明を省略する。
【００２３】
固定部８１ａ、８１ｂ（固定手段）は、本考案にいう固定手段を構成するものであり、固定部８１ａと固定部８１ｂとは同じ構造及び形状のものが用いられている。以下、主として図６を用いて固定部８１ａについて説明する。
固定部８１ａは、略長方形の鋼板を該長方形の１辺に対して略平行な３の直線に沿って折り曲げて４の部分８３ａ、８３ｂ、８３ｃ、８３ｄが形成された鋼板本体部８３と、鋼板本体部８３に穿設された雌ねじに螺嵌された雄ねじ８５と、を有してなる。
鋼板本体部８３は、後述するように、支持物たる棒材（図６中、点線によって棒材１１１を示した。）の一部が嵌入される嵌入部を構成する嵌入部形成部分８３ａ、８３ｂ（嵌入部形成部分８３ａ、８３ｂによって挟まれて形成される空間８３ｆに、棒材１１１の一部が嵌入される。）と、雄ねじ８５の先端が棒材１１１を嵌入部形成部分８３ａ、８３ｂに向けて押すことができるように雄ねじ８５を進退自在に保持するネジ保持部８３ｄと、ネジ保持部８３ｄと嵌入部形成部分８３ａ、８３ｂとを連結する連結部８３ｃと、を有している。
【００２４】
一方、雄ねじ８５は、雄ねじ本体８５ａと、雄ねじ本体８５ａの基端側に取り付けられた把持部８５ｂと、を有してなり、雄ねじ本体８５ａは前述のようにネジ保持部８３ｄに穿設された雌ねじに螺嵌されている。このため把持部８５ｂを手で把持して雄ねじ本体８５ａを正逆に回転させることで、雄ねじ８５をネジ保持部８３ｄに対して自由に進退させることができる（雄ねじ８５の進退方向を図６中、矢印Ｊにて示す。）。
【００２５】
そして、網体部分たる網体部２１の縁部が直線（図５中、点線Ｆにて示す。）に略沿った部分２５ａ（ここでは第２線材２５の一部）を有し、固定部８１ａ、８１ｂが、該直線（図５中、点線Ｆにて示す。）に略沿った部分２５ａに形成されている。具体的には、固定部８１ａ、８１ｂは、嵌入部形成部分８３ａ、８３ｂとの間に存する折り曲げ部分（尾根部分）が、該直線（図５中、点線Ｆにて示す。）に略沿った部分２５ａに溶接されることで、網体部２１に取り付けられている。
また、真っ直ぐな棒材１１１であれば、固定部８１ａの空間８３ｆと、固定部８１ｂの空間８３ｆと、の両方に棒材１１１の一部が同時に嵌入されるような位置関係に固定部８１ａ、８１ｂは配設されている。
【００２６】
図７は、本支持具７１の使用方法を示す正面図である。図７を参照して、本支持具７１の使用方法について説明する。なお、図７中、鉛直方向を矢印Ｅにて示す。ここでは既に支持物たる棒材１１１が、その長手方向がほぼ鉛直方向に向くように十分な強度で立設されている（棒材１１１は、商品の展示用のスタンドの一部をなすものであってもよい。）。
第１の手順として、棒材１１１の一部が、固定部８１ａの空間８３ｆ（嵌入部形成部分８３ａ、８３ｂによって挟まれて形成される空間）と、固定部８１ｂの空間８３ｆ（嵌入部形成部分８３ａ、８３ｂによって挟まれて形成される空間）と、の両方に嵌入されるように本支持具７１を配置する。
第２の手順として、第１の手順が完了した状態のまま、固定部８１ａの雄ねじ８５と、固定部８１ｂの雄ねじ８５と、を締め付ける。具体的には、前述のように、雄ねじ８５の把持部８５ｂを手で把持して雄ねじ８５が棒材１１１の方向に進むように雄ねじ本体８５ａを回転させる（嵌入部形成部分８３ａ、８３ｂと雄ねじ８５（雄ねじ本体８５ａ）の先端とによって棒材１１１が挟持される状態になるまで、雄ねじ８５を棒材１１１の方向に進める。）。これによって本支持具７１が棒材１１１に取り付けられる。
第３の手順として、網体部２１が有する第１線材２３と第２線材２５とによって形成される網目２７に、物品たる商品を係止する。この第３の手順は、既に説明した第１実施形態と同様であるので、説明を省略する。
なお、棒材１１１から本支持具７１を取り外す際は、網目２７に係止されている商品を取り外した後、雄ねじ８５の把持部８５ｂを手で把持して雄ねじ８５が棒材１１１とは反対の方向に進むように雄ねじ本体８５ａを回転させればよい。
【００２７】
このように本支持具７１は、物品が直接又は間接に網目２７に係止される網体部分たる網体部２１と、網体部分たる網体部２１を支持物たる棒材１１１に対して固定する固定手段たる固定部８１ａ、８１ｂと、を備えてなる、物品支持具である。
そして、第１実施形態と同様、網体部分たる網体部２１が、平面に沿った部分を有する（網体部２１は、全体がほぼ平面に沿った長方形形状を形成している。）。加えて、網体部分たる網体部２１が、該平面に沿って互いに略平行に配置される複数本の第１線材２３と、第１線材２３がのびる方向に対して略直交する方向に向かって互いに略平行に該平面に沿って配置される複数本の第２線材２５と、を有してなり、第１線材２３と第２線材２５とによって網目２７が形成されている。
【００２８】
さらに、前記網体部分たる網体部２１の縁部が直線（図５及び図７中、点線Ｆにて示す。）に略沿った部分２５ａ（ここでは第２線材２５の一部）を有し、固定手段たる固定部８１ａ、８１ｂが該直線（図５及び図７中、点線Ｆにて示す。）に略沿った部分２５ａに形成されている。
そして、本支持具７１においては、前記固定手段たる固定部８１ａ、８１ｂが、支持物たる棒材１１１を挟持する。具体的には、前記固定手段たる固定部８１ａ、８１ｂが、進退自在なネジ（雄ねじ８５）の先端が支持物たる棒材１１１を直接押すことで支持物たる棒材１１１を挟持する。
さらに、ここでは支持物が棒材１１１であり、前記固定手段たる固定部８１ａ、８１ｂが、前記ネジ（雄ねじ８５）の先端が棒材１１１に向かって移動する方向（図６中、矢印Ｊが示す両方向のうちＪ１方向）に棒材１１１が存するように棒材１１１の一部が嵌入される嵌入部（嵌入部形成部分８３ａ、８３ｂが構成する。）を有しており、嵌入部（嵌入部形成部分８３ａ、８３ｂ）と前記ネジ（雄ねじ８５）の先端とによって棒材１１１を直接に挟持する。
なお、前述したように、本支持具７１においては物品が商品（例えば、図４に示したのと同様、携帯電話用のストラップ１０５）であり、本支持具７１は該商品を販売する商店にて用いられる。
【図面の簡単な説明】
【図１】第１実施形態の本支持具を示す正面図である。
【図２】第１実施形態の本支持具の右側面図である。
【図３】第１実施形態の本支持具の固定部を拡大して示す一部拡大正面図である。
【図４】第１実施形態の本支持具の使用方法を示す正面図である。
【図５】第２実施形態の本支持具を示す正面図である。
【図６】第２実施形態の本支持具の固定部を拡大して示す一部拡大底面図である。
【図７】第２実施形態の本支持具の使用方法を示す正面図である。
【符号の説明】
１１　　　　　　本支持具
２１　　　　　　網体部
２３　　　　　　第１線材
２５　　　　　　第２線材
２５ａ　　　　　直線に略沿った部分
２７　　　　　　網目
４１ａ、４１ｂ　固定部
４３　　　　　　磁石
４５　　　　　　固定部本体部
４７ａ、４７ｂ　挟持部
４９　　　　　　回動部材
５１　　　　　　ボルトナット
５３　　　　　　連結棒
７１　　　　　　本支持具
８１ａ、８１ｂ　固定部
８３　　　　　　鋼板本体部
８３ａ、８３ｂ　嵌入部形成部分
８３ｃ　　　　　連結部
８３ｄ　　　　　ネジ保持部
８３ｆ　　　　　空間
８５　　　　　　雄ねじ
８５ａ　　　　　雄ねじ本体
８５ｂ　　　　　把持部
１０１　　　　　　壁
１０３　　　　　　フック
１０５　　　　　　携帯電話用のストラップ
１１１　　　　　　棒材
【図１】
0003097919.tif 000003
【図２】
0003097919.tif 000004
【図３】
0003097919.tif 000005
【図４】
0003097919.tif 000006
【図５】
0003097919.tif 000007
【図６】
0003097919.tif 000008
【図７】
0003097919.tif 000009